(57)【要約】【課題】不正者によるデータへのアクセス要求からのセキュリティを確保しつつ、誤ったパスワードを入力した適正な操作者が装置を動作させる際における利便性を向上させる。【解決手段】複合機１において、各操作者の正規のＩＤ情報及びパスワードを記憶するセキュリティ情報記憶部１７０２と、当該装置各部の動作実行を制御する制御部１０３と、操作者からＩＤ情報及びパスワードが入力される操作部４７と、入力されたＩＤ情報及びパスワードの組合せが正規であるかを判断する認証部１０１とを備え、制御部１０３は、ＩＤ情報及びパスワードの組合せが正規である場合は、ＩＤ情報及びパスワードを入力した操作者に対して装置各部の動作実行を許可し、ＩＤ情報及びパスワードの組合せが正規ではない場合には、次にパスワードが一致すると判断されたときに当該操作者に許可する装置各部の動作性能を低下させる。【選択図】図２
2008269309.tif 000002
【特許請求の範囲】
【請求項１】
各操作者のＩＤ情報と、当該各ＩＤ情報に対応付けられたそれぞれのパスワードを記憶する記憶手段と、
当該装置各部の動作実行を制御する制御手段と、
操作者からＩＤ情報及びパスワードが入力される入力手段と、
前記入力手段に入力されたＩＤ情報及びパスワードの組合せが、前記記憶手段に記憶されているＩＤ情報と、当該ＩＤ情報に対応付けられたパスワードとの組合せに一致するかを判断する認証手段とを備え、
前記制御手段は、前記認証手段によって前記ＩＤ情報及びパスワードの組合せが一致すると判断された場合は、前記ＩＤ情報及びパスワードを入力した操作者に対して装置各部の動作実行を許可し、前記認証手段によって前記ＩＤ情報及びパスワードの組合せが一致しないと判断された場合には、次にパスワードが一致すると判断されたときに当該操作者に許可する装置各部の動作性能を低下させる電子装置。
【請求項２】
前記パスワード入力手段に操作者がＩＤ情報を入力したときにパスワードが入力された回数をカウントする入力回数カウント手段を更に備え、
前記制御手段は、前記認証手段によって前記ＩＤ情報及びパスワードの組合せが一致しないと判断され、前記入力回数カウント手段にカウントされたパスワード入力回数が予め定められた第１の値以上となった場合に、次にパスワードが一致すると判断されたときに当該操作者に許可する装置各部の動作性能を低下させる請求項１に記載の電子装置。
【請求項３】
前記制御手段は、前記入力回数カウント手段にカウントされたパスワード入力回数が前記第１の値に達し、前記装置各部の動作性能を低下させた後に、前記パスワード入力手段に、性能復元用の第２パスワードが操作者から入力された場合には、当該装置各部の状態を、動作性能が低下されていない元の状態に復帰させる請求項２に記載の電子装置。
【請求項４】
前記制御手段は、前記入力回数カウント手段にカウントされたパスワード入力回数が、前記第１の値よりも大きい予め定められた第２の値に達した場合には、前記装置各部の動作性能を低下させる処理を停止する請求項２又は請求項３に記載の電子装置。
【請求項５】
前記制御手段は、前記入力回数カウント手段にカウントされたパスワード入力回数が前記第１の値に達した後、当該パスワード入力回数が予め定められた回数だけ増加する度に、次にパスワードが一致すると判断されたときに当該操作者に許可する装置各部の動作性能を予め定められた分ずつ低下させる請求項２乃至請求項４のいずれかに記載の電子装置。
【請求項６】
前記制御手段は、前記入力回数カウント手段にカウントされたパスワード入力回数が前記第１の値に達した後、当該パスワード入力回数が予め定められた回数だけ増加する度に、前記動作性能低下処理として、次にパスワードが一致すると判断されたときに当該操作者に許可する装置各部の動作速度を、予め定められた速度分遅くする請求項５に記載の電子装置。
【請求項７】
操作者に対する操作案内を表示する表示手段を更に備え、
前記制御手段は、前記入力回数カウント手段にカウントされたパスワード入力回数が前記第１の値に達した後、当該パスワード入力回数が予め定められた回数だけ増加する度に、前記動作性能低下処理として、次にパスワードが一致すると判断されたときに前記表示手段に表示させるコンテンツを、予め定められた分削減する請求項５に記載の電子装置。
【請求項８】
前記制御手段は、前記入力回数カウント手段にカウントされたパスワード入力回数が前記第１の値に達し、前記装置各部の動作性能を低下させた後に、前記パスワード入力手段に、性能復元用の第２パスワードが操作者から入力される度に、当該装置各部の状態を、予め定められたデータ分だけ元の状態に近付ける請求項５乃至請求項７のいずれかに記載の電子装置。
【請求項９】
操作者から、前記制御手段による装置各部の動作性能低下処理の対象とする動作を指定する指示の入力を受け付ける動作指定指示受付手段を更に備え、
前記制御手段は、前記動作指定指示受付手段に受け付けられた指示が示す動作を前記動作性能低下処理の対象とする請求項１乃至請求項８のいずれかに記載の電子装置。
【請求項１０】
操作者に対する操作案内を表示する表示手段を更に備え、
前記制御手段は、装置各部の動作性能を低下させる前に、前記装置各部の性能が低下する旨のメッセージを前記表示手段に表示させる請求項１乃至請求項９のいずれかに記載の電子装置。
【請求項１１】
請求項１乃至請求項１０のいずれかに記載の電子装置を備えた画像形成装置。
【請求項１２】
請求項２乃至請求項１０のいずれかに記載の電子装置と、
現金を保管する現金保管手段と、
前記現金保管手段から現金を出金する出金手段と、
操作者から前記出金手段に前記現金保管手段から出金させる出金額を指定する指示を受け付ける出金額受付手段とを備え、
前記制御手段は、前記入力回数カウント手段にカウントされたパスワード入力回数が、前記第１の値に達した場合に、前記動作性能低下処理として、前記出金額受付手段が受け付ける前記出金限度額を、予め定められた金額分少なくする現金自動支払システム。
【請求項１３】
現金を保管する現金保管手段と、
前記現金保管手段から現金を出金する出金手段と、
前記出金手段に出金させる出金額を、操作者から指定する指示を受け付ける出金額受付手段と、
操作者からＩＤ情報及びパスワードが入力される入力手段と、
前記入力手段に入力されたＩＤ情報及びパスワードの組合せを、ネットワーク接続されたホストコンピュータに送信する送信手段と、
前記ホストコンピュータから、前記ＩＤ情報及びパスワードの組合せが正規のものであるか否かを示す情報を受信する受信手段と、
当該装置各部の動作実行を制御する制御手段とを備え、
前記制御手段は、前記受信手段が前記ホストコンピュータから前記ＩＤ情報及びパスワードの組合せが正規ではないことを示す情報を受信した場合には、前記出金額受付手段が受け付ける前記出金限度額を、予め定められた金額分少なくする現金自動支払装置。
【発明の詳細な説明】
【技術分野】
【０００１】
本発明は、操作者から入力されるパスワードが真正であるか否かに応じて、装置の動作実行を認めるか否かを制御する技術に関する。
【背景技術】
【０００２】
従来から、操作者から真正なパスワードの入力があった場合に、装置の動作実行を許可し、不正なパスワードが入力された場合には、装置の動作実行を許可しないようにする技術が知られている。例えば、下記特許文献１に示されるように、操作者により誤ったパスワードが所定回数以上入力された場合に、操作者に入力を要求するパスワードの文字数を増加させるものがある。また、下記特許文献２に示されるように、操作者がサーバに不正にログインしようとして、誤ったパスワードを所定回数入力した場合には、本来のサーバではない偽サーバにログインさせるコンピュータシステムも提案されている。さらには、下記特許文献３に示されるように、操作者により誤ったパスワードが所定回数以上入力された場合に、アクセスが要求されたデータを全て消去する技術も提案されている。
【特許文献１】特開平７−２７１７２９号公報
【特許文献２】特開２００１−２８２７３９号公報
【特許文献３】特開２００５−１１１５１号公報
【発明の開示】
【発明が解決しようとする課題】
【０００３】
上記各特許文献に示される従来技術の場合、いずれも、不正者がデータにアクセスしようとした場合のセキュリティは確保されているが、不正者又は適正な操作者のいずれが誤ったパスワードの入力を行ったかに拘わらずアクセスが拒否されてしまい、適正な操作者にとっての使い勝手が悪いため、誤ったパスワードを入力した適正な操作者が装置を動作させる際における利便性の向上が望まれる。
【０００４】
本発明は、上記の問題を解決するためになされたもので、不正者によるデータへのアクセス要求からのセキュリティを確保しつつ、誤ったパスワードを入力した適正な操作者が装置を動作させる際における利便性を向上させることを目的とするものである。
【課題を解決するための手段】
【０００５】
本発明の請求項１に記載の発明は、各操作者のＩＤ情報と、当該各ＩＤ情報に対応付けられたそれぞれのパスワードを記憶する記憶手段と、
当該装置各部の動作実行を制御する制御手段と、
操作者からＩＤ情報及びパスワードが入力される入力手段と、
前記入力手段に入力されたＩＤ情報及びパスワードの組合せが、前記記憶手段に記憶されているＩＤ情報と、当該ＩＤ情報に対応付けられたパスワードとの組合せに一致するかを判断する認証手段とを備え、
前記制御手段は、前記認証手段によって前記ＩＤ情報及びパスワードの組合せが一致すると判断された場合は、前記ＩＤ情報及びパスワードを入力した操作者に対して装置各部の動作実行を許可し、前記認証手段によって前記ＩＤ情報及びパスワードの組合せが一致しないと判断された場合には、次にパスワードが一致すると判断されたときに当該操作者に許可する装置各部の動作性能を低下させる電子装置である。
【０００６】
この構成によれば、操作者から入力手段に誤ったパスワードが入力されると、制御手段が、次にパスワードが一致すると判断されたときに当該操作者に許可する装置各部の動作性能を低下させるので、不正者が再度の入力で正式なパスワードを入力したとしても、当該装置が完全な動作性能では動作しない。一方、操作者は、誤ったパスワードを入力しても、その後に適正なパスワードを入力すれば、該装置を完全な動作性能で動作させることはできないものの、動作性能が低下された状態では当該装置を動作させることができる。これにより、不正者による完全な動作性能での当該装置の使用に対するセキュリティを確保しつつ、適正な操作者は、当該装置を動作させることが全く認められないという事態が回避されるため、誤ったパスワードを入力した適正な操作者が装置を動作させる際における利便性が向上されるというメリットがある。
【０００７】
また、請求項２に記載の発明は、請求項１に記載の電子装置であって、前記パスワード入力手段に操作者がＩＤ情報を入力したときにパスワードが入力された回数をカウントする入力回数カウント手段を更に備え、
前記制御手段は、前記認証手段によって前記ＩＤ情報及びパスワードの組合せが一致しないと判断され、前記入力回数カウント手段にカウントされたパスワード入力回数が予め定められた第１の値以上となった場合に、次にパスワードが一致すると判断されたときに当該操作者に許可する装置各部の動作性能を低下させるものである。
【０００８】
この構成によれば、パスワード入力回数が予め定められた第１の値以上となるまでは、当該装置の動作性能が低下しないので、操作者は、第１の値を変化させることで、完全な動作性能での当該装置の使用に対するセキュリティレベルと利便性のいずれを向上させるかを調整することができる。
【０００９】
また、請求項３に記載の発明は、請求項２に記載の電子装置であって、前記制御手段は、前記入力回数カウント手段にカウントされたパスワード入力回数が前記第１の値に達し、前記装置各部の動作性能を低下させた後に、前記パスワード入力手段に、性能復元用の第２パスワードが操作者から入力された場合には、当該装置各部の状態を、動作性能が低下されていない元の状態に復帰させるものである。
【００１０】
この構成によれば、当該装置の動作性能が低下された後であっても、操作者から性能復元用の第２パスワードが入力されると、当該装置の動作性能が、動作性能の低下されていない元の状態に復帰するので、適正な操作者は、動作許可を求める本来のパスワードと、性能復元用の第２パスワードとを使い分けることで、当該装置を、動作性能が低下された状態にしておくか、元の状態に復元させるかを選択できる。これにより、不正者による完全な動作性能での当該装置の使用に対するセキュリティを確保しつつ、適正な操作者に対する完全な動作状態で当該装置を使用できる利便性を向上させることが可能になる。
【００１１】
また、請求項４に記載の発明は、請求項２又は請求項３に記載の電子装置であって、前記制御手段は、前記入力回数カウント手段にカウントされたパスワード入力回数が、前記第１の値よりも大きい予め定められた第２の値に達した場合には、前記装置各部の動作性能を低下させる処理を停止するものである。
【００１２】
この構成によれば、パスワード入力回数が、第１の値よりも大きい予め定められた第２の値に達した後は、装置各部の動作性能を低下させる処理が停止されるので、何度も繰り返して誤ったパスワードが入力された場合に、ある程度までは装置各部の動作性能を低下させて不正者に対するセキュリティを高める一方、パスワード入力回数が第２の値に達した後は、装置各部の動作性能を確保することで、適正な操作者に対する当該装置の使い勝手の良さを確保することができる。
【００１３】
また、請求項５に記載の発明は、請求項２乃至請求項４のいずれかに記載の電子装置であって、前記制御手段は、前記入力回数カウント手段にカウントされたパスワード入力回数が前記第１の値に達した後、当該パスワード入力回数が予め定められた回数だけ増加する度に、次にパスワードが一致すると判断されたときに当該操作者に許可する装置各部の動作性能を予め定められた分ずつ低下させるものである。
【００１４】
この構成によれば、パスワード入力回数が、予め定められた第１の値に達した後は、不正なパスワードの入力回数の増加に応じて徐々に装置各部の動作性能が低下するので、何度も繰り返してパスワードを入力する不正者である可能性が高い者に対しては、装置各部の動作性能を低下させてセキュリティを高めることができ、パスワードの入力を誤る回数が少ないと想定される適正な操作者に対しては、装置各部の動作性能を低下させる量を減らして、装置を動作させる際の利便性を高めることができる。
【００１５】
また、請求項６に記載の発明は、請求項５に記載の電子装置であって、前記制御手段は、前記入力回数カウント手段にカウントされたパスワード入力回数が前記第１の値に達した後、当該パスワード入力回数が予め定められた回数だけ増加する度に、前記動作性能低下処理として、次にパスワードが一致すると判断されたときに当該操作者に許可する装置各部の動作速度を、予め定められた速度分遅くするものである。
【００１６】
この構成によれば、パスワード入力回数が、予め定められた第１の値に達した後は、不正なパスワードの入力回数の増加に応じて徐々に装置各部の動作速度が遅くなるので、何度も繰り返してパスワードを入力する不正者である可能性が高い者に対しては、装置各部の動作速度を遅くしてセキュリティを高めることができ、パスワードの入力を誤る回数が少ないと想定される適正な操作者に対しては、装置各部の動作速度を遅くする量を減らして、装置を動作させる際の利便性を高めることができる。
【００１７】
また、請求項７に記載の発明は、請求項５に記載の電子装置であって、操作者に対する操作案内を表示する表示手段を更に備え、
前記制御手段は、前記入力回数カウント手段にカウントされたパスワード入力回数が前記第１の値に達した後、当該パスワード入力回数が予め定められた回数だけ増加する度に、前記動作性能低下処理として、次にパスワードが一致すると判断されたときに前記表示手段に表示させるコンテンツを、予め定められた分削減するものである。
【００１８】
この構成によれば、パスワード入力回数が、予め定められた第１の値に達した後は、不正なパスワードの入力回数の増加に応じて徐々に表示手段に表示されるコンテンツが削減されるので、何度も繰り返してパスワードを入力する不正者である可能性が高い者に対しては、表示手段に表示されるコンテンツを減らすことでセキュリティを高めることができ、パスワードの入力を誤る回数が少ないと想定される適正な操作者に対しては、表示手段に表示されるコンテンツを比較的減らさないようにして、装置を動作させる際の利便性を高めることができる。
【００１９】
また、請求項８に記載の発明は、請求項５乃至請求項７のいずれかに記載の電子装置であって、前記制御手段は、前記入力回数カウント手段にカウントされたパスワード入力回数が前記第１の値に達し、前記装置各部の動作性能を低下させた後に、前記パスワード入力手段に、性能復元用の第２パスワードが操作者から入力される度に、当該装置各部の状態を、予め定められたデータ分だけ元の状態に近付けるものである。
【００２０】
この構成によれば、当該装置の動作性能が低下された後であっても、操作者から性能復元用の第２パスワードが入力される回数に応じた分だけ、当該装置の動作性能が、動作性能が低下されていない元の状態に近付けられるので、操作者が、性能復元用の第２パスワードの入力回数を調整することで、当該装置を元の状態に復元させる度合いを調節することができる。
【００２１】
また、請求項９に記載の発明は、請求項１乃至請求項８のいずれかに記載の電子装置であって、操作者から、前記制御手段による装置各部の動作性能低下処理の対象とする動作を指定する指示の入力を受け付ける動作指定指示受付手段を更に備え、
前記制御手段は、前記動作指定指示受付手段に受け付けられた指示が示す動作を前記動作性能低下処理の対象とするものである。
【００２２】
この構成によれば、操作者は、動作指定指示受付手段に、装置各部の動作性能低下処理の対象とする動作を指定する指示を入力することで、誤ったパスワードが入力された場合に性能を低下させる動作を、所望の通りに設定及び変更することができる。
【００２３】
また、請求項１０に記載の発明は、請求項１乃至請求項９のいずれかに記載の電子装置であって、操作者に対する操作案内を表示する表示手段を更に備え、
前記制御手段は、装置各部の動作性能を低下させる前に、前記装置各部の性能が低下する旨のメッセージを前記表示手段に表示させるものである。
【００２４】
この構成によれば、当該装置の動作性能が低下される前に、動作性能が低下する旨のメッセージが表示手段に表示されるので、不正者に対しては、誤ったパスワードを入力すると完全な状態で当該装置を動作させることができないことを認識させて不正なアクセスを抑制することが可能になり、また、適正な操作者に対しては、パスワード入力操作を慎重に行わせることが可能になる。
【００２５】
また、請求項１１に記載の発明は、請求項１乃至請求項１０のいずれかに記載の電子装置を備えた画像形成装置である。
【００２６】
この構成によれば、請求項１乃至請求項１０のいずれかに記載の発明と同様の作用が得られる。
【００２７】
また、請求項１２に記載の発明は、請求項２乃至請求項１０のいずれかに記載の電子装置と、現金を保管する現金保管手段と、
前記現金保管手段から現金を出金する出金手段と、
操作者から前記出金手段に前記現金保管手段から出金させる出金額を指定する指示を受け付ける出金額受付手段とを備え、
前記制御手段は、前記入力回数カウント手段にカウントされたパスワード入力回数が、前記第１の値に達した場合に、前記動作性能低下処理として、前記出金額受付手段が受け付ける前記出金限度額を、予め定められた金額分少なくする現金自動支払システムである。
【００２８】
この構成によれば、操作者による誤ったパスワードの入力回数が上記第１の値に達すると、制御手段が、出金額受付手段が受け付ける出金額の限度額を、予め定められた金額分少なくするので、不正者が再度の入力で正式なパスワードを入力したとしても、予め定められた金額分少ない額しか出金することができない。一方、操作者は、誤ったパスワードを入力しても、その後に適正なパスワードを入力すれば、予め定められた金額分少ない額は出金することができる。そのため、不正者による高額な出金を禁じてセキュリティを確保しつつ、適正な操作者は、出金が全く認められないという事態が回避されるため、誤ったパスワードを入力した適正な操作者が出金する際における利便性が向上される。
【００２９】
また、請求項１３に記載の発明は、現金を保管する現金保管手段と、
前記現金保管手段から現金を出金する出金手段と、
前記出金手段に出金させる出金額を、操作者から指定する指示を受け付ける出金額受付手段と、
操作者からＩＤ情報及びパスワードが入力される入力手段と、
前記入力手段に入力されたＩＤ情報及びパスワードの組合せを、ネットワーク接続されたホストコンピュータに送信する送信手段と、
前記ホストコンピュータから、前記ＩＤ情報及びパスワードの組合せが正規のものであるか否かを示す情報を受信する受信手段と、
当該装置各部の動作実行を制御する制御手段とを備え、
前記制御手段は、前記受信手段が前記ホストコンピュータから前記ＩＤ情報及びパスワードの組合せが正規ではないことを示す情報を受信した場合には、前記出金額受付手段が受け付ける前記出金限度額を、予め定められた金額分少なくする現金自動支払装置である。
【００３０】
この構成によれば、操作者による誤ったパスワードを入力すると、制御手段が、出金額受付手段が受け付ける出金額の限度額を、予め定められた金額分少なくするので、不正者が再度の入力で正式なパスワードを入力したとしても、予め定められた金額分少ない額しか出金することができない。一方、操作者は、誤ったパスワードを入力しても、その後に適正なパスワードを入力すれば、予め定められた金額分少ない額は出金することができる。そのため、不正者による高額な出金を禁じてセキュリティを確保しつつ、適正な操作者は、出金が全く認められないという事態が回避されるため、誤ったパスワードを入力した適正な操作者が出金する際における利便性が向上される。
【発明の効果】
【００３１】
請求項１に記載の発明によれば、不正者による完全な動作性能での当該装置の使用に対するセキュリティを確保しつつ、適正な操作者は、当該装置を動作させることが全く認められないという事態が回避されるため、誤ったパスワードを入力した適正な操作者が装置を動作させる際における利便性が向上される。
【００３２】
請求項２に記載の発明によれば、操作者は、第１の値を変化させることで、完全な動作性能での当該装置の使用に対するセキュリティレベルと利便性のいずれを向上させるかを調整することができる。
【００３３】
請求項３に記載の発明によれば、不正者による完全な動作性能での当該装置の使用に対するセキュリティを確保しつつ、適正な操作者に対する完全な動作状態で当該装置を使用できる利便性を向上させることが可能になる。
【００３４】
請求項４に記載の発明によれば、何度も繰り返して誤ったパスワードが入力された場合に、ある程度までは装置各部の動作性能を低下させて不正者に対するセキュリティを高める一方、パスワード入力回数が第２の値に達した後は、装置各部の動作性能を確保することで、適正な操作者に対する当該装置の使い勝手の良さを確保することができる。
【００３５】
請求項５に記載の発明によれば、何度も繰り返してパスワードを入力する不正者である可能性が高い者に対しては、装置各部の動作性能を低下させてセキュリティを高めることができ、パスワードの入力を誤る回数が少ないと想定される適正な操作者に対しては、装置各部の動作性能を低下させる量を減らして、装置を動作させる際の利便性を高めることができる。
【００３６】
請求項６に記載の発明によれば、何度も繰り返してパスワードを入力する不正者である可能性が高い者に対しては、装置各部の動作速度を遅くしてセキュリティを高めることができ、パスワードの入力を誤る回数が少ないと想定される適正な操作者に対しては、装置各部の動作速度を遅くする量を減らして、装置を動作させる際の利便性を高めることができる。
【００３７】
請求項７に記載の発明によれば、何度も繰り返してパスワードを入力する不正者である可能性が高い者に対しては、表示手段に表示されるコンテンツを減らすことでセキュリティを高めることができ、パスワードの入力を誤る回数が少ないと想定される適正な操作者に対しては、表示手段に表示されるコンテンツを比較的減らさないようにして、装置を動作させる際の利便性を高めることができる。
【００３８】
請求項８に記載の発明によれば、操作者が、性能復元用の第２パスワードの入力回数を調整することで、当該装置を元の状態に復元させる度合いを調節することができる。
【００３９】
請求項９に記載の発明によれば、誤ったパスワードが入力された場合に性能を低下させる動作を、所望の通りに設定及び変更することができる。
【００４０】
請求項１０に記載の発明によれば、不正者に対しては、誤ったパスワードを入力すると完全な状態で当該装置を動作させることができないことを認識させて不正なアクセスを抑制することが可能になり、また、適正な操作者に対しては、パスワード入力操作を慎重に行わせることが可能になる。
【００４１】
請求項１１に記載の発明によれば、請求項１乃至請求項１０のいずれかに記載の発明と同様の効果が得られる。
【００４２】
請求項１２及び請求項１３に記載の発明によれば、不正者による高額な出金を禁じてセキュリティを確保しつつ、適正な操作者は、出金が全く認められないという事態が回避されるため、誤ったパスワードを入力した適正な操作者が出金する際における利便性が向上される。
【発明を実施するための最良の形態】
【００４３】
以下、本発明の一実施形態に係る電子装置、画像形成装置、現金自動預け払い機及び現金自動預け払いシステムについて図面を参照して説明する。
【００４４】
図１は本発明の一実施形態に係る複合機の外観構成を概略的に示す側面図である。複合機１は、本発明に係る電子装置及び画像形成装置の一例であり、コピー機能、プリンタ機能、スキャナ機能及びファクシミリ機能等の機能を兼ね備えたものである。この複合機１は、本体部２と、本体部２の左方に配設されたスタックトレイ３と、本体部２の上部に配設された原稿読取部５と、原稿読取部５の上方に配設された原稿給送部６とを有している。
【００４５】
また、複合機１のフロント部には、操作部４７が設けられている。この操作部４７には、ユーザが印刷実行指示を入力するためのスタートキー４７１と、印刷部数等を入力するためのテンキー４７２と、各種複写動作の操作ガイド情報等を表示し、これら各種設定入力用にタッチパネル機能を有する液晶ディスプレイ等からなる表示部（表示手段）４７３と、表示部４７３で設定された設定内容等をリセットするリセットキー４７４と、実行中の印刷（画像形成）動作を停止させるためのストップキー４７５と、コピー機能、プリンタ機能、スキャナ機能及びファクシミリ機能を切り換えるための機能切換キー４７７が備えられている。
【００４６】
原稿読取部５は、ＣＣＤ(Charge Coupled Device)センサ及び露光ランプ等からなるスキャナ部５１と、ガラス等の透明部材により構成された原稿台５２及び原稿読取スリット５３とを備える。スキャナ部５１は、図略の駆動部によって移動可能に構成され、原稿台５２に載置された原稿を読み取るときは、原稿台５２に対向する位置で原稿面に沿って移動され、原稿画像を走査しつつ取得した画像データを制御部１０３（図２）へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを制御部１０３へ出力する。
【００４７】
原稿給送部６は、原稿を載置するための原稿載置台６１と、画像読み取り済みの原稿を排出するための原稿排出部６２と、原稿載置台６１に載置された原稿を１枚ずつ繰り出して原稿読取スリット５３に対向する位置へ搬送し、原稿排出部６２へ排出するための給紙ローラ（図略）、搬送ローラ（図略）等からなる原稿搬送機構６３を備える。原稿搬送機構６３は、さらに原稿を表裏反転させて原稿読取スリット５３と対向する位置へ再搬送する用紙反転機構（図略）を備え、原稿の両面の画像を原稿読取スリット５３を介してスキャナ部５１から読取可能にしている。
【００４８】
また、原稿給送部６は、その前面側が上方に移動可能となるように本体部２に対して回動自在に設けられている。原稿給送部６の前面側を上方に移動させて原稿台５２上面を開放することにより、原稿台５２の上面に読み取り原稿、例えば見開き状態にされた書籍等を操作者が載置できるようになっている。
【００４９】
本体部２は、複数の給紙カセット４６１と、給紙カセット４６１から記録紙を１枚ずつ繰り出して記録部４０へ搬送する給紙ローラ４６２と、給紙カセット４６１から搬送されてきた記録紙に画像を形成する記録部４０とを備える。
【００５０】
記録部４０は、スキャナ部５１で取得された画像データに基づきレーザ光等を出力して感光体ドラム４３を露光する光学ユニット４２と、感光体ドラム４３上にトナー像を形成する現像部４４と、感光体ドラム４３上のトナー像を記録紙に転写する転写部４１と、トナー像が転写された記録紙を加熱してトナー像を記録紙に定着させる定着部４５と、記録部４０内の用紙搬送路中に設けられ、記録紙をスタックトレイ３又は排出トレイ４８まで搬送する搬送ローラ４６３，４６４等とを備える。
【００５１】
また、記録紙の両面に画像を形成する場合は、記録部４０で記録紙の一方の面に画像を
形成した後、この記録紙を排出トレイ４８側の搬送ローラ４６３にニップされた状態とする。この状態で搬送ローラ４６３を反転させて記録紙をスイッチバックさせ、記録紙を用紙搬送路Ｌに送って記録部４０の上流域に再度搬送し、記録部４０により他方の面に画像を形成した後、記録紙をスタックトレイ３又は排出トレイ４８に排出する。
【００５２】
図２は複合機１の内部構成の概略を示すブロック図である。図３は制限動作指定画面の例を示す図である。複合機１は、装置各部の動作を制御する制御ユニット１００と、原稿読取部５と、原稿読取部５によって読み取られた原稿画像のデータ等を一時的に記憶する画像メモリ１２０と、記録部４０と、操作部４７と、この操作部の一部でありＬＣＤ（Liquid Crystal Display）等からなる表示部４７３とを有する。
【００５３】
操作部（パスワード入力手段）４７は、操作者から、操作者各自に割り当てられたＩＤ（identification）情報とパスワードの入力を受け付ける。例えば、操作部４７は、(a)表示部４７３に表示される操作案内と、操作者により操作部４７のテンキー４７２の操作により、又は(b)表示部４７３に表示される操作ボタン（テンキー、キーボード等）が操作者によって押下されることで、当該操作ボタン表示に対応するタッチパネル機能により、操作者からのＩＤ情報及びパスワード、さらには復元用パスワードの入力を受け付ける。
【００５４】
また、複合機１は、ファクシミリ通信部１４０と、ＨＤＤ１７０と、データ送受信部１８０とを有する。ファクシミリ通信部１４０は、ファクシミリ通信に必要な諸機能を実行し、公衆回線８１を通じて外部のファクシミリ装置８０から画像データを受信する。
【００５５】
ＨＤＤ１７０は、コンテンツ情報記憶部１７０１と、セキュリティ情報記憶部１７０２とを備える。コンテンツ情報記憶部１７０１は、操作者への操作案内等のために制御部１０３が表示部４７３に表示させるために必要な各種の画像（メッセージやボタン等の画像）のデータを記憶する。セキュリティ情報記憶部１７０２は、操作が許可されている各操作者に対応付けられたＩＤ情報と、当該各ＩＤ情報に対応するそれぞれのパスワードを記憶する。セキュリティ情報記憶部１７０２には、当該各ＩＤ情報に対応付けられたそれぞれの復元用パスワードも記憶されている。
【００５６】
ＨＤＤ１７０は、例えば磁気ディスクから構成され、パーソナルコンピュータを統括制御するための基本プログラムであるオペレーティングシステムや、本発明の一実施形態に係る動作性能低下処理プログラム等を記憶している。この動作性能低下処理プログラムは、後述する図４乃至図６及び図８に示す動作性能低下処理を実行するためのプログラムである。
【００５７】
データ送受信部１８０は、イントラネット又はＬＡＮ（Local Area Network）を介して、ネットワーク接続されているパーソナルコンピュータ等から、記録部４０による記録の対象となるデータ等を受信するものである。
【００５８】
制御ユニット１００は、認証部１０１と、制御部１０３と、カウンタ１０４とを備える。
【００５９】
認証部（認証手段）１０１は、複合機１の操作を希望する操作者から操作部４７にＩＤ情報及びパスワードが入力された場合に、当該入力されたＩＤ情報と、セキュリティ情報記憶部１７０２に記憶されているＩＤ情報とが一致するか否か（すなわち、ＩＤ情報が正規に登録されたものか否か）を判断する。さらに、認証部１０１は、当該ＩＤ情報を正規と判断した場合に、上記入力されたパスワードと、セキュリティ情報記憶部１７０２に記憶されているパスワード（当該正規と判断されたＩＤ情報に対応付けられたパスワード）とが一致するか否か（すなわち、パスワードが正規に登録されたものか否か）を判断する。
【００６０】
制御部（制御手段）１０３は、装置各部の動作制御を司る。さらに、制御部１０３は、認証部１０１によって、操作者から操作部４７に入力されたパスワードと、上記ＩＤ情報に対応付けられているパスワードとが一致すると判断された場合に、当該複合機１の操作を当該操作者に対して許可する。また、制御部１０３は、認証部１０１によって、当該両パスワードが一致しないと判断された場合に、複合機１の動作性能を低下させる処理を行う。さらに、制御部１０３は、カウンタ１０４によってカウントされる誤ったパスワードの入力回数に基づいて、複合機１の動作性能を低下させる処理の実行又は停止を制御し、また、パスワードが入力される度に、予め定められた分だけ複合機１の動作性能を低下させる制御も行う。
【００６１】
カウンタ（入力回数カウント手段）１０４は、操作者による操作部４７へのＩＤ情報の入力後、当該ＩＤ情報についてのパスワードが、操作者によって操作部４７に入力された回数をカウントする。なお、制御部１０３は、当該カウンタ１０４にカウントされたパスワード入力回数が、予め定められた第１の値以上となった場合に、複合機１の動作性能を低下させる。
【００６２】
制御部１０３による複合機１の動作性能低下処理は、例えば、(1)複合機１で可能なコピー動作、ファクシミリ動作、スキャナ動作、プリンタ動作のうち、いずれか１以上の機能は実行可能としつつ、いずれか１以上の機能を実行禁止とする、(2)コピー動作、ファクシミリ動作、プリンタ動作時における記憶部４０の印刷枚数を制限する又は印刷速度を予め定められた分だけ低下させる、(3)コピー動作、ファクシミリ動作、スキャナ動作時における原稿読取部５の原稿読取速度を予め定められた速度分低下させる、(4)表示部４７３に表示させる操作案内や、機能の実行指示を受け付けるボタン等のコンテンツを予め定められた数だけ削減する、(5)表示部４７３に表示されているボタンのタッチパネル反応速度を低下させる、(6)操作部４７の任意のボタン押下時の指示受付を拒否させる等である。
【００６３】
また、制御部１０３によって動作性能低下処理の対象とされる動作は、操作者による操作部４７の操作で変更可能とされている（例えば、上記(1)乃至(6)から選択可能とされる）。この場合、操作者は、例えば、表示部４７３に表示されている制限動作特定ボタン（図略。タッチパネル機能により操作者からの指示を受け付ける）を押下すると、表示部４７３に、図３に示すような制限動作指定画面４７３１が表示され、この制限動作指定画面４７３１で操作者が所望の動作を示すボタンＢを押下すると、タッチパネル機能により、制御部１０３に、当該押下されたボタンに対応付けられている動作を動作性能低下処理の対象とする指示が受け付けられる。制御部１０３は、当該受け付けられた指示に従って、上記動作性能低下処理を行う。
【００６４】
さらに、複合機１は、画像処理部１９０を有している。画像処理部１９０は、原稿読取部５が読み取った画像のデータについて、編集／加工（符号／復号処理、拡大／縮小処理、圧縮／伸長処理）処理等を行う。
【００６５】
次に、本発明の一実施形態に係る複合機１及びデータ処理装置によるパスワード入力回数に応じて動作性能を低下させる処理の第１実施形態を説明する。図４はパスワード入力回数に応じて動作性能を低下させる処理の第１実施形態を示すフローチャートである。
【００６６】
複合機１は、予めセキュリティ情報記憶部１７０２に記憶されているＩＤ情報及びパスワード（動作許可用のパスワード）が操作者から入力された場合に、当該操作者に複合機１の各部の動作実行を許可するようになっている。まず、制御部１０３は、誤ったＩＤ情報又はパスワードが操作者により入力されると複合機１の動作性能が低下する旨のメッセージを表示部４７３に表示させる（Ｓ１）。例えば、制御部１０３は、上記(1)〜(6)に示したような予め定められた動作について、その性能低下を示唆する具体的なメッセージを表示部４７３に表示させる。
【００６７】
続いて、制御部１０３は、表示部４７３に、操作者に対してＩＤ情報の入力を促すメッセージを表示させる（Ｓ２）。操作者によるＩＤ情報の入力が操作部４７に受け付けられると（Ｓ３でＹＥＳ）、認証部１０１は、当該入力されたＩＤ情報が、セキュリティ情報記憶部１７０２に記憶されている正規のＩＤ情報であるか否かを判断する（Ｓ４）。
【００６８】
操作者からのＩＤ情報の入力が操作部４７に受け付けられない場合（Ｓ３でＮＯ）と、認証部１０１が、当該入力されたＩＤ情報を、正規のＩＤ情報でないと判断した場合には（Ｓ４でＮＯ）、処理はＳ２に戻る。
【００６９】
一方、認証部１０１が、当該入力されたＩＤ情報を、正規のＩＤ情報であると判断した場合（Ｓ４でＹＥＳ）、制御部１０３は、操作者に対してパスワードの入力を促すメッセージを表示部４７３に表示させる（Ｓ５）。
【００７０】
この後、操作者によるパスワードの入力が操作部４７に受け付けられると（Ｓ６でＹＥＳ）、認証部１０１は、当該入力されたパスワードが、上記Ｓ４で正規と判断したＩＤ情報に対応付けられてセキュリティ情報記憶部１７０２に記憶されている正規のパスワードであるか否かを判断する（Ｓ７）。
【００７１】
認証部１０１が、上記入力されたパスワードを、正規のパスワードではないと判断した場合は（Ｓ７でＮＯ）、カウンタ１０４が、上記入力されたＩＤ情報についてパスワードが入力された回数をカウントアップする（Ｓ８）。このカウンタ１０４によるパスワード入力回数のカウントアップ後、制御部１０３は、カウンタ１０４にカウントされたカウント値（パスワード入力回数）が予め定められた第１の値以上となっているか否かを判断する（Ｓ９）。この第１の値とは、ユーザによって任意に設定される値（例えば、3等）であり、制御ユニット１００の一部である図略のメモリ等に記憶されている。
【００７２】
カウンタ１０４のカウント値が第１の値以上となっていない場合は（Ｓ９でＮＯ）、処理はＳ５に戻り、制御部１０３は、再び、表示部４７３に、上記入力されたＩＤ情報についてのパスワードの入力を操作者に促すメッセージを表示部４７３に表示させる（Ｓ５）。操作者は、再度パスワードの入力を求められる。
【００７３】
カウンタ１０４のカウント値が、第１の値に達している場合には（Ｓ９でＹＥＳ）、制御部１０３は、複合機１の動作性能が低下する旨のメッセージを表示部４７３に表示させる（Ｓ１０）。この場合、制御部１０３は、性能が低下する上記(1)〜(6)に示したような各動作を、具体的に表示部４７３に表示させる。そして、この表示後、制御部１０３は、予め定められた動作（上記(1)〜(6)に示したような動作）についての性能を低下させる処理を行う（Ｓ１１）。制御部１０３は、次回操作者によって正規のパスワードが操作部４７に入力された場合に、性能を低下させて動作させることを示すフラグを立てておく（フラグ＝１とする）。
【００７４】
また、上記Ｓ７において、認証部１０１が、上記入力されたパスワードを正規のパスワードであると判断した場合は（Ｓ７でＹＥＳ）、制御部１０３は、上記フラグが立っているか否かを判断し（Ｓ１２）、フラグが立っている場合は（Ｓ１２で「1」）、予め定められた動作の性能を低下させた状態で、複合機１の動作を許可する（Ｓ１３）。すなわち、制御部１０３は、予め定められた動作の性能を低下させた状態でしか複合機１が動作しない状態とする。また、制御部１０３は、フラグが立っていない場合（Ｓ１２で「0」）、動作性能を低下させていない通常通りの状態での複合機１の動作を許可する（Ｓ１４）。すなわち、制御部１０３は、動作性能を低下させていない通常通りの状態で複合機１を動作可能な状態とする。
【００７５】
これにより、誤ったパスワードを操作部４７に繰り返して入力する不正者に対しては、完全な動作性能での複合機１の使用を制限して、複合機１を動作させることについてのセキュリティを確保しつつ、適正な操作者に対しては、複合機１を動作させることが全く認められないという事態を回避して、誤ったパスワードを入力した適正な操作者が装置を動作させる際における利便性が向上される。また、メンテナンス者又は適正な操作者は、上記第１の値を変化させることで、完全な動作性能での当該装置の使用に対するセキュリティレベルと利便性のいずれを向上させるかを調整することができる。
【００７６】
次に、本発明の一実施形態に係る複合機１及びデータ処理装置によるパスワード入力回数に応じて動作性能を低下させる処理の第２実施形態を説明する。図５はパスワード入力回数に応じて動作性能を低下させる処理の第２実施形態を示すフローチャートである。なお、図４に示した第１実施形態と同様の処理は説明を省略する。
【００７７】
この第２実施形態では、操作者から操作部４７に、動作許可用のパスワードとは異なる性能復元用の第２のパスワード（以下、復元用パスワードという）が入力された場合、制御部１０３が、動作性能を低下させた複合機１の状態を元の通常通りの動作を行う状態に戻すようにする。
【００７８】
図５に沿って説明する。操作者によるパスワードの入力が操作部４７に受け付けられると（Ｓ２６でＹＥＳ）、認証部１０１は、当該入力されたパスワードが正規の復元用パスワードであるか、又は正規の動作許可用のパスワードであるかを判断する（Ｓ２７，Ｓ２８）。認証部１０１は、当該入力されたパスワードが、Ｓ２４で正規と判断されたＩＤ情報に対応付けられてセキュリティ情報記憶部１７０２に記憶されている復元用パスワードに一致することをもって、当該入力されたパスワードが正規の復元用パスワードであると判断する。
【００７９】
認証部１０１が、当該入力されたパスワードは正規の復元用パスワードであると判断された場合（Ｓ２７でＹＥＳ）、制御部１０３は、動作性能を低下させた複合機１の状態を元の通常通りの動作を行う状態に戻し（Ｓ３５）、この状態で複合機１の動作を許可する（Ｓ３６）。Ｓ３５においては、制御部１０３は、性能を低下させて複合機１を動作させるか否かの指標となる上記フラグを0にする。
【００８０】
一方、認証部１０１は、当該入力されたパスワードが正規の復元用パスワードではないと判断した場合には（Ｓ２７でＮＯ）、さらに、当該入力されたパスワードが正規の動作許可用のパスワードであるか否かを判断する（Ｓ２８）。以降、Ｓ２９乃至Ｓ３４とＳ３６の処理は第１実施形態と同様である。
【００８１】
この第２実施形態によれば、複合機１の動作性能が低下された後であっても、操作者から復元用パスワードが入力されると、複合機１の動作性能が、動作性能の低下されていない元の通常通りの状態に復帰するので、適正な操作者は、動作許可を求める本来のパスワードと、復元用パスワードとを使い分けることで、当該装置を、動作性能が低下された状態にしておくか、元の状態に復元させるかを選択できる。
【００８２】
次に、本発明の一実施形態に係る複合機１及びデータ処理装置によるパスワード入力回数に応じて動作性能を低下させる処理の第３実施形態を説明する。図６はパスワード入力回数に応じて動作性能を低下させる処理の第３実施形態を示すフローチャートである。なお、図４及び図５に示した第１及び第２実施形態と同様の処理は説明を省略する。
【００８３】
この第３実施形態では、操作者が誤って入力したパスワードの回数の増加に応じて、制御部１０３が、複合機１の動作性能低下の程度を大きくする。
【００８４】
図６に沿って説明する。この第３実施形態では、カウンタ１０４によってカウントされるカウント値（パスワード入力回数）が上記第１値に達している場合（Ｓ６０でＹＥＳ）、制御部１０３は、さらに、カウンタ１０４のカウント値が、当該第１の値よりも大きい予め定められた第２の値に達しているかを判断する（Ｓ６１）。この第２の値とは、ユーザによって任意に設定される値（例えば、50等）であり、制御ユニット１００の一部である図略のメモリ等に記憶されている。
【００８５】
制御部１０３は、カウンタ１０４のカウント値が上記第２の値に達していない場合には（Ｓ６１でＮＯ）、複合機１の動作性能が低下する旨のメッセージを表示部４７３に表示させた後（Ｓ６２）、予め定められた動作についての性能を予め定められた分だけ低下させる処理を行う（Ｓ６３）。例えば、制御部１０３は、カウンタ１０４のカウント値が上記第１の値に達した後は、カウント値が1増える度に（操作者によってパスワードが1回入力される度に）、(7)複合機１で可能なコピー動作、ファクシミリ動作、スキャナ動作、プリンタ動作を１つずつ実行禁止にする、(8)コピー動作、ファクシミリ動作、プリンタ動作時における記憶部４０の印刷枚数を制限する又は印刷速度を予め定められた分ずつ低下させる、(9)コピー動作、ファクシミリ動作、スキャナ動作時における原稿読取部５の原稿読取速度を予め定められた速度分ずつ低下させる、(10)表示部４７３に表示させる操作案内や、機能の実行指示を受け付けるボタン等のコンテンツを予め定められた数ずつ削減する、(11)表示部４７３に表示されているボタンのタッチパネル反応速度を予め定められた分ずつ低下させる、(12)操作部４７に表示されるボタンを１つずつ反応しないようにする等、とする。
【００８６】
一方、制御部１０３は、カウンタ１０４のカウント値が上記第２の値に達している場合には（Ｓ６１でＹＥＳ）、処理をＳ５５に戻す。即ち、制御部１０３は、操作者によるパスワード入力回数が予め定められた回数に達した場合には、複合機１の動作性能を低下させる処理を行わない。例えば、不正者が、正規のパスワードを入力するために非常に多くの回数でパスワード入力を行うと、本第３実施形態では、制御部１０３による複合機１の動作性能低下処理における性能低下量が、パスワード入力回数の増加に応じて多くなり、適正な操作者の受ける不利益が過大になるため、不正者がパスワードを多数回入力した場合における適正な操作者の操作性を確保するようにしている。
【００８７】
また、Ｓ５７において、認証部１０１によって、操作者から操作部４７に入力が受け付けられた復元用パスワードが正規と判断された場合は（Ｓ５７でＹＥＳ）、制御部１０３は、複合機１の予め定められた動作性能を所定量だけ、元の通常通りの動作性能に近い状態に戻す（Ｓ６４）。すなわち、Ｓ５７、Ｓ６４、Ｓ６７、Ｓ６９、Ｓ７０の処理を繰り返すことで、復元用パスワードの入力回数の増加に応じて、複合機１の動作性能の復元量が増加されるようになっている。
【００８８】
このＳ６４における、正規の復元用パスワード入力１回当たりの動作性能復元量は、Ｓ６３における、誤った動作許可用パスワードの入力１回当たりの複合機１の動作性能低下量と同じであることが好ましいが、互いに異なる量であっても構わない。なお、制御部１０３は、当該所定量の復元を繰り返して、複合機１の動作性能が元の通常通りの動作性能に戻った場合には、上記フラグを0にする。
【００８９】
そして、制御部１０３は、上記フラグが立っているか否かを判断し（Ｓ６７）、フラグが立っている場合は（Ｓ６７で「1」）、このように動作性能が元の状態に戻っていないが、ある程度復元された状態となった複合機１を動作させるか否かの指示の入力を操作者に対して促す旨のメッセージを表示部４７３に表示させる（Ｓ６９）。ここで、操作者により操作部４７に複合機１を動作させる指示（例えば、コピー実行開始指示等）が入力された場合には（Ｓ７０でＹＥＳ）、制御部１０３は、この時点における動作性能状態の複合機１の動作実行を、当該復元用パスワードを入力した操作者に対して許可する（Ｓ７１）。操作者により複合機１を動作させる指示が入力されない場合には（Ｓ７０でＮＯ）、制御部１０３は、処理をＳ５５に戻す。すなわち、制御部１０３は、複合機１を、操作者が再度復元用パスワード又は動作許可用パスワードの入力が可能な状態にする。これにより、操作者は、正規の復元用パスワードを入力した時点の動作性能で複合機１による印刷等を行うか、再度復元用パスワードを操作部４７に入力して更に動作性能を復元した上で複合機１による印刷等を行うかを選択することができる。
【００９０】
これにより、パスワード入力回数が、予め定められた第１の値に達した後は、不正なパスワードの入力回数の増加に応じて徐々に装置各部の動作性能が低下するので、何度も繰り返してパスワードを入力する不正者である可能性が高い者に対しては、装置各部の動作性能を低下させる量を増大させてセキュリティを高めることができ、パスワードの入力を誤る回数が少ないと想定される適正な操作者に対しては、装置各部の動作性能を低下させる量を減らして、装置を動作させる際の利便性を高めることができる。また、操作者は、性能復元用の第２パスワードの入力回数を調整することで、当該装置を元の状態に復元させる度合いを調節することができる。
【００９１】
また、パスワード入力回数が、第１の値よりも大きい予め定められた第２の値に達した後は、装置各部の動作性能を低下させる処理が停止されるので、何度も繰り返して誤ったパスワードが入力された場合に、ある程度までは装置各部の動作性能を低下させて不正者に対するセキュリティを高める一方、パスワード入力回数が第２の値に達した後は、装置各部の動作性能を確保することで、適正な操作者に対する当該装置の使い勝手の良さを確保することができる。
【００９２】
次に、本発明の一実施形態に係る現金自動預け払い機及び現金自動預け払いシステムについて説明する。図７は、本発明の一実施形態に係る現金自動預け払いシステムの概略構成を示すブロック図である。なお、当該現金自動預け払い機及び現金自動預け払いシステムは、本発明に係る電子装置、現金自動支払機及び現金自動支払システムの一例である。また、本発明の一実施形態として上述した複合機１と同様の構成については説明を省略する。
【００９３】
現金自動預け払いシステム５００は、現金自動預け払い機２００とホストコンピュータ３００とを備える。
【００９４】
現金自動預け払い機２００は、金融機関等において預金の入出金等に用いられる装置（ＡＴＭ（Automatic Teller Machine））であり、当該預金者の入出金を管理するために金融機関が管理するホストコンピュータ３００と専用の回線で結ばれている。現金自動預け払い機２００は、データ送受信部２０１、制御部２０２、表示部２０３、現金保管部２０７、記録部２０５、及び入出金部２０４を備えている。
【００９５】
データ送受信部２０１は、金融機関等が管理するホストコンピュータと専用回線等を通じて、預金の入出金等に関する情報を送受信する。例えば、現金自動預け払い機２００の操作（例えば、預金の出金操作等）を希望する預金者から、操作部４７にＩＤ情報及び暗証番号（パスワード）が入力された場合に、当該入力されたＩＤ情報及び暗証番号をホストコンピュータ３００に送信し、当該送信したＩＤ情報及び暗証番号が正規のものであるか否かを示す情報を受信する。
【００９６】
なお、預金者からのＩＤ情報の入力は、操作部２０６の一部をなすカードリーダ部（磁気記録媒体読取部）に預金者がキャッシュカードを挿入すると、カードリーダ部が、キャッシュカードに付されている磁気記録媒体からＩＤ情報を読み取るようになっている。暗証番号は、操作部２０６の一部をなすＬＣＤ（Liquid Crystal Display）等からなる表示部２０３に設けられたタッチパネル機能やキーボードを預金者が操作することで、現金自動預け払い機２００に入力される。
【００９７】
制御部２０２は、現金自動預け払い機２００の全体的に動作制御を司る。
【００９８】
入出金部２０４は、現金自動預け払い機２００を操作する預金者に対して現金の受け渡しを行う機構である。記録部２０５は、預金者に対して提供する利用明細書等を印刷する。現金保管部２０７は、預金者との受け渡しを行う現金を保管する機構である。
【００９９】
ホストコンピュータ３００は、データ送受信部３０５と、制御部３０６と、認証部３０７と、データ記憶部３０８と、カウンタ３０９とを備える。データ送受信部３０５は、現金自動預け払い機２００との間で専用回線を介して各種情報の送受信を行うものであり、現金自動預け払い機２００のデータ送受信部２０１から上記ＩＤ情報及び暗証番号を受信し、当該送信したＩＤ情報及び暗証番号が正規のものであるか否かを示す情報を返信する。なお、当該ＩＤ情報及び暗証番号が正規か否かの判断は認証部３０７が行う。
【０１００】
制御部３０６は、ホストコンピュータ３００の全体的な動作の制御を司る。認証部３０７は、データ送受信部３０５によって現金自動預け払い機２００から上記ＩＤ情報及び暗証番号が受信された場合に、当該受信されたＩＤ情報と、セキュリティ情報記憶部３０８２に記憶されているＩＤ情報とが一致するか否か（すなわち、入力されたＩＤ情報が正規に登録されたものか否か）を判断する。さらに、認証部３０７は、当該ＩＤ情報を正規と判断した場合に、上記入力された暗証番号と、セキュリティ情報記憶部３０８２に記憶されている暗証番号とが一致するか否か（すなわち、入力された暗証番号が正規に登録されたものか否か）を判断する。
【０１０１】
また、現金自動預け払い機２００の操作部２０６に預金者から出金限度額復元用パスワードが入力されると、データ送受信部２０１がホストコンピュータ３００に当該出金限度額復元用パスワードを送信するようになっている。ホストコンピュータ３００のデータ送受信部３０５が当該出金限度額復元用パスワードを受信すると、認証部３０７が、当該受信された出金限度額復元用パスワードと、上記正規と判断されたＩＤ情報に対応付けられてセキュリティ情報記憶部３０８２に記憶されている出金限度額復元用パスワードとが一致するか否か（すなわち、入力された出金限度額復元用パスワードが正規に登録されたものか否か）を判断する。
【０１０２】
制御部３０６は、認証部３０７によって、上記ＩＤ情報及び暗証番号の組合せが正規ではないと判断された場合に、当該ＩＤ情報を有する預金者についての出金限度額を、予め定められた金額分（例えば、1万円）引き下げ、顧客情報記憶部３０８１に記憶されている当該ＩＤ情報を有する預金者について出金限度額情報を、当該引き下げた出金限度額に書き替える。
【０１０３】
データ記憶部３０８は、顧客情報記憶部３０８１及びセキュリティ情報記憶部３０８２を備える。顧客情報記憶部３０８１は、各預金者についての預金額、入出金明細、及び出金限度額の情報を記憶している。セキュリティ情報記憶部３０８２は、各預金者についてのＩＤ情報と、当該各ＩＤ情報に対応付けられたそれぞれの暗証番号とを記憶している。また、セキュリティ情報記憶部３０８２は、各預金者についての出金限度額復元用パスワードを、当該操作者のＩＤ情報と対応付けて記憶している。
【０１０４】
カウンタ３０９は、預金者によって現金自動預け払い機２００の操作部４７にＩＤ情報が入力された後、当該ＩＤ情報についての暗証番号が、預金者によって操作部４７に入力された回数をカウントする。なお、当該カウンタ３０９は、現金自動預け払い機２００側に設けられていてもよい。その場合、カウンタ３０９は現金自動預け払い機２００の操作部４７に入力された暗証番号の入力回数をカウントし、当該カウント値をデータ送受信部２０１がホストコンピュータ３００に送信する。
【０１０５】
現金自動預け払い機２００による出金処理を説明する。図８は、現金自動預け払い機２００による出金処理を示すフローチャートである。
【０１０６】
現金自動預け払い機２００では、制御部２０２２は、誤ったＩＤ情報又は暗証番号を入力すると出金限度額が引き下がる旨のメッセージを表示部２０３に表示させる（Ｓ８１）。
【０１０７】
続いて、制御部１０３は、表示部２０３に、預金者に対してキャッシュカードの挿入を促す旨のメッセージを表示させる（Ｓ８２）。操作者によってキャッシュカードが操作部４７のカードリーダ部に挿入され、カードリーダ部によってＩＤ情報が読み取られると（Ｓ８３でＹＥＳ）、データ送受信部２０１が、当該入力されたＩＤ情報をホストコンピュータ３００に送信する。
【０１０８】
ホストコンピュータ３００では、データ送受信部３０５が当該入力されたＩＤ情報を受信する。認証部３０７は、当該受信されたＩＤ情報が、セキュリティ情報記憶部３０８２に記憶されている正規のＩＤ情報であるか否かを判断する（Ｓ８４）。当該受信されたＩＤ情報が正規か否かを示す情報は、データ送受信部３０５が現金自動預け払い機２００に送信する。なお、ＩＤ情報の入力がない場合（Ｓ８３でＮＯ）と、認証部３０７が、当該入力されたＩＤ情報を正規のＩＤ情報でないと判断した場合には（Ｓ８４でＮＯ）、現金自動預け払い機２００の制御部２０２１は、処理をＳ８２に戻す。
【０１０９】
上記入力されたＩＤ情報が、ホストコンピュータ３００の認証部３０７によって、正規のＩＤ情報であると判断された場合（Ｓ８４でＹＥＳ）、データ送受信部３０５がその旨を示す情報を現金自動預け払い機２００に送信し、現金自動預け払い機２００のデータ送受信部２０１が当該情報を受信すると、現金自動預け払い機２００の制御部２０２１は、預金者に対して暗証番号の入力を促すメッセージを表示部４７３に表示させる（Ｓ８５）。
【０１１０】
預金者による暗証番号の入力が操作部２０６に受け付けられると（Ｓ８６でＹＥＳ）、データ送受信部２０１が、当該暗証番号として預金者から入力された情報をホストコンピュータ３００に送信する。ホストコンピュータ３００では、データ送受信部３０５が当該情報を受信し、認証部３０７は、まず当該情報が、正規の出金限度額復元用パスワードであるか否かを判断する（Ｓ８７）。
【０１１１】
認証部３０７が、当該情報を正規の出金限度額復元用パスワードではないと判断した場合（Ｓ８７でＮＯ）、認証部３０７は、続けて、当該情報が、上記Ｓ８４で正規と判断したＩＤ情報に対応付けられてセキュリティ情報記憶部３０８２に記憶されている正規の暗証番号であるか否かを判断する（Ｓ８８）。
【０１１２】
ここで、認証部３０７が、上記入力された情報を正規の暗証番号ではないと判断した場合は（Ｓ８８でＮＯ）、カウンタ３０９が、上記入力されたＩＤ情報について暗証番号が入力された回数をカウントアップする（Ｓ８９）。このカウンタ３０９による暗証番号入力回数のカウントアップ後、制御部３０６は、カウンタ３０９にカウントされたカウント値（パスワード入力回数）が予め定められた第１の値以上となっているか否かを判断する（Ｓ９０）。この第１の値とは、現金自動預け払いシステム５００の管理者等によって任意に設定される値（例えば、3等）であり、制御部３０６の一部である図略のメモリ等に記憶されている。
【０１１３】
カウンタ３０９のカウント値が第１の値以上となっていない場合（Ｓ９０でＮＯ）、ホストコンピュータ３００のデータ送受信部３０５は、当該カウント値が第１の値以上となっていない旨を示す情報を、現金自動預け払い機２００に送信する。現金自動預け払い機２００のデータ送受信部２０１が当該情報を受信すると、制御部２０２１は、処理をＳ８５に戻し、再び、表示部２０３に、預金者に対して再度暗証番号の入力を促すメッセージを表示部２０３に表示させる（Ｓ８５）。操作者は、再度暗証番号の入力を求められる。
【０１１４】
カウンタ３０９のカウント値が、第１の値に達している場合には（Ｓ９０でＹＥＳ）、制御部３０６は、さらに、カウンタ３０９のカウント値が、当該第１の値よりも大きい予め定められた第２の値に達しているかを判断する（Ｓ９１）。この第２の値とは、ユーザによって任意に設定される値（例えば、20等）であり、制御部３０６の一部である図略のメモリ等に記憶されている。
【０１１５】
カウンタ３０９のカウント値が上記第２の値に達している場合には（Ｓ９１でＹＥＳ）、データ送受信部３０５は、当該カウント値が第２の値以上となっている旨を示す情報を現金自動預け払い機２００に送信する。現金自動預け払い機２００のデータ送受信部２０１が当該情報を受信すると、この情報受信に基づいて、制御部２０２１は、処理をＳ８５に戻す。例えば、不正者が、正規のパスワードを入力するために非常に多くの回数で暗証番号を入力すると、ホストコンピュータ３００の制御部３０６による出金限度額の引き下げ幅が、暗証番号入力回数の増加に応じて大きくなり、預金者が預金を少額しか出金できない又は全く出金できない事態になるため、不正者が暗証番号を多数回入力した場合における預金者の利便性を確保する。
【０１１６】
カウンタ３０９のカウント値が上記第２の値に達していない場合には（Ｓ９１でＮＯ）、制御部３０６は、データ送受信部３０５に、出金限度額を予め定められた金額だけ引き下げる旨を示す情報を現金自動預け払い機２００に送信させる。現金自動預け払い機２００のデータ送受信部２０１が当該情報を受信すると、現金自動預け払い機２００の制御部２０２１は、出金限度額が引き下がる旨のメッセージを表示部２０３に表示させる（Ｓ９２）。一方、ホストコンピュータ３００の制御部３０６は、出金限度額を予め定められた金額だけ引き下げ、顧客情報記憶部３０８１に記憶されている当該預金者についての出金限度額を、当該引き下げた出金限度額に書き換える（Ｓ９３）。制御部３０６は、当該預金者の出金限度額が引き下げられたことを示すフラグを立てておく（フラグ＝１とする）。なお、出金限度額が、予め定められた基準額通りである場合、制御部３０６はフラグ＝０としておく。
【０１１７】
また、Ｓ８８で、認証部３０７が、上記入力された情報を正規の暗証番号であると判断した場合は（Ｓ８８でＹＥＳ）、制御部３０６は、上記フラグが立っているか否かを判断し（Ｓ９５）、フラグが立っている場合は（Ｓ９５で「1」）、データ送受信部３０５は、引き下げ処理がされている出金限度額を示す情報を現金自動預け払い機２００に送信する。現金自動預け払い機２００のデータ送受信部２０１が当該情報を受信すると、制御部２０２が、現時点における出金限度額（例えば、出金限度額を具体的に表示）で出金を行うか否かの指示の入力を操作者に対して促す旨のメッセージを表示部２０３に表示させる（Ｓ９７）。ここで、預金者により操作部２０６に出金する旨の指示が入力された場合には（Ｓ９８でＹＥＳ）、制御部２０２は、上記引き下げられた出金限度額内の金額で、操作部２０６に預金者からの出金の指示を受け付けることを許可する（Ｓ９９）。
【０１１８】
フラグが立っていない場合は（Ｓ９５で「0」）、データ送受信部３０５は、引き下げ処理がされていない基準額通りの出金限度額を示す情報を現金自動預け払い機２００に送信する。現金自動預け払い機２００のデータ送受信部２０１が当該情報を受信すると、制御部２０２は、予め定められている基準額通りの出金限度額内で、操作部２０６に預金者からの出金の指示を受け付けることを許可する（Ｓ９６）。なお、当該制御部２０２１による出金処理時には、ホストコンピュータ３００の制御部３０６との間で、出金処理に関して必要なセキュリティ情報の交信が行われる。
【０１１９】
また、Ｓ８７において、認証部３０７によって、出金限度額復元用パスワードが正規と判断された場合は（Ｓ８７でＹＥＳ）、制御部３０６は、当該預金者の出金限度額を予め定められた金額分（例えば、1万円）引き上げ、顧客情報記憶部３０８１に記憶されている当該ＩＤ情報を有する預金者についての出金限度額情報を、当該引き上げた出金限度額に書き替える（Ｓ９４）。すなわち、Ｓ８６、Ｓ８７、Ｓ９４、Ｓ９７、Ｓ９８の処理が繰り返されると、出金限度額復元用パスワードの入力回数の増加に応じて、当該預金者の出金限度額が引き上げられるようになっている。
【０１２０】
このＳ９４における出金限度額引き上げ額は、Ｓ９３における出金限度引き下げ額と同額であることが好ましいが、互いに異なる金額であっても構わない。なお、制御部３０６は、当該出金限度額の引き上げを繰り返して、出金限度額が通常通りの基準額に戻った場合には、上記フラグを0にする。以降の処理は、上述したＳ９５乃至Ｓ９９と同様である。
【０１２１】
なお、預金者により操作部２０６に出金指示が入力されない場合には（Ｓ９８でＮＯ）、制御部２０２は、処理をＳ８５に戻す。すなわち、制御部２０２１は、預金者が暗証番号又は出金限度額復元用パスワードの入力が可能な状態にする。これにより、預金者は、現時点の出金限度額内で出金するか、再度出金限度額復元用パスワードを操作部２０６に入力して、更に出金限度額を引き上げた上で出金するかを選択することができる。
【０１２２】
本発明は上記実施の形態の構成に限られず種々の変形が可能である。例えば、上記各実施形態では、複合機１の制御部１０３と、現金自動預け払い機２００の制御部２０２１は、誤ったパスワードや暗証番号を入力すると、動作性能が低下する旨や出金限度額が引き下がる旨のメッセージを表示部４７３又は２０３に表示させるようにしているが、制御部１０３又は２０２１は、これらの表示を行わせずに、ＩＤ情報やパスワード、暗証番号の入力を促すメッセージを表示部４７３又は２０３に表示させたり、動作性能低下処理や出金限度額引き下げ処理を行うようにしてもよい。
【０１２３】
また、上記各実施形態では、複合機１の制御部１０３と、現金自動預け払い機２００の制御部２０２１は、誤ったパスワードや暗証番号を入力しても、上記第１の値に達していなければ、動作性能低下処理又は出金限度額引き下げ処理を行わないようにしているが、制御部１０３、２０２又は３０６は、誤ったパスワードや暗証番号が入力された時点で、動作性能低下処理や出金限度額引き下げ処理を行うようにしてもよい。この場合、制御部１０３、２０２又は３０６は、上述した第２の値に基づく動作制御は行わない。
【０１２４】
また、上記実施形態では、本発明に係る電子装置を複合機１現金自動預け払い機２００、又は現金自動預け払いシステム５００として説明しているが、本発明に係る電子装置は複合機１、現金自動預け払い機２００、又は現金自動預け払いシステム５００に限定されず、他の電子装置であっても構わない。
【０１２５】
また、上記図１乃至図８に示した本発明の一実施形態に係る複合機１、現金自動預け払い機２００、及び現金自動預け払いシステム５００の構成及び処理は、あくまでも一例に過ぎず、パソコン、PDA、携帯電話等の電子機器等にも適用できることは言うまでもない。つまり、本発明に係る電子装置、画像形成装置、現金自動預け払い機、及び現金自動預け払いシステムを上記構成及び処理に限定する意味ではない。
【図面の簡単な説明】
【０１２６】
【図１】本発明の一実施形態に係る複合機の外観構成を概略的に示す側面図である。
【図２】複合機の内部構成の概略を示すブロック図である。
【図３】制限動作指定画面の例を示す図である。
【図４】パスワード入力回数に応じて動作性能を低下させる処理の第１実施形態を示すフローチャートである。
【図５】パスワード入力回数に応じて動作性能を低下させる処理の第２実施形態を示すフローチャートである。
【図６】パスワード入力回数に応じて動作性能を低下させる処理の第３実施形態を示すフローチャートである。
【図７】本発明の一実施形態に係る現金自動預け払いシステムの概略構成を示すブロック図である。
【図８】現金自動預け払い機による出金処理を示すフローチャートである。
【符号の説明】
【０１２７】
１          複合機
１００      制御ユニット
１０１      認証部
１０３      制御部
１０４      カウンタ
４７３      表示部
４７３１    制限動作指定画面
１７０      ＨＤＤ
１７０１    コンテンツ情報記憶部
１７０２    セキュリティ情報記憶部
２００      現金自動預け払い機
２０１      データ送受信部
２０２      制御部
２０３      表示部
２０４      入出金部
２０６      操作部
２０７      現金保管部
３００      ホストコンピュータ
３０５      データ送受信部
３０６      制御部
３０７      認証部
３０８      データ記憶部
３０８１    顧客情報記憶部
３０８２    セキュリティ情報記憶部
３０９      カウンタ
５００      現金自動預け払いシステム
【図１】
2008269309.tif 000003
【図２】
2008269309.tif 000004
【図３】
2008269309.tif 000005
【図４】
2008269309.tif 000006
【図５】
2008269309.tif 000007
【図６】
2008269309.tif 000008
【図７】
2008269309.tif 000009
【図８】
2008269309.tif 000010